(57)【要約】 【課題】  開閉体を全閉する際に引戸の引手が邪魔にならない反面、開閉体を開いて引戸を開ける際には、引手を手前側に引き出し、かつ、該引手を用いて引戸を開けることができること。【解決手段】  引手本体は、少なくとも収納部に収納されている時には、引手本体に設けられ、かつ、取付け座側の固定障害子に係止される作動杆を有する引手本体用ロック機構でロックされ、一方、引手本体を取付け座から引き出す時、ロック機構の作動杆を拘束する操作レバーを操作すると、作動杆が移動可能となり、引手本体の自由端部を引くと、引手本体は基端部を軸支する収納部側の固定軸を支点に所定量回転することを特徴とする引戸用引手。【選択図】  図４
2006070571.tif 000002
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、少なくとも前記収納部に収納されている時には、該引手本体に設けられ、かつ、取付け座側の固定障害子に係止される作動杆を有する引手本体用ロック機構でロックされ、一方、引手本体を取付け座から引き出す時、ロック機構の前記作動杆を拘束する操作レバーを操作すると、作動杆が移動可能となり、引手本体の自由端部を引くと、引手本体は基端部を軸支する収納部側の固定軸を支点に所定量回転することを特徴とする引戸用引手。
【請求項２】
請求項１に於いて、ロック機構は、操作レバーを、常時作動杆を拘束する方向へ付勢する付勢バネを有し、該付勢バネは引手本体に内装されていることを特徴とする引戸用引手。
【請求項３】
請求項１に於いて、引手本体は、障害子用の係合長孔と、該係合長孔に対して鉛直方向に連通する作動杆用の垂直案内長孔とを有し、前記垂直案内長孔内に作動杆を障害子に係合する方向へ常時付勢する作動杆用バネが組み込まれていることを特徴とする引戸用引手。
【請求項４】
請求項１に於いて、引手本体は、基端部から中心部まで幅広に形成されたロック機構の構成部材用組込み部分と、中心部から端部まで延伸する細幅の自由端部とから成り、前記ロック機構の操作レバーの他端部は、組込み部分の開口から自由端部側に突出していることを特徴とする引戸用引手。
【発明の詳細な説明】
【技術分野】
【０００１】
本発明は、建物の出入り口に配置された引戸用の引手に関し、例えば室内側から内側引戸を開ける人を基準としてその手前側に開閉体が配置される引戸（内側引戸又は外側引戸、或いは内外の引戸）の戸先側の壁面に取付けられる引戸用引手に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いてそのまま引戸を開けることができること。第２の目的は、引手本体を取付け座の収納部に収納した時に、引手本体が引戸の振動等により収納部から食み出ないこと。第３の目的は、片手でロック機構の操作レバーを操作しながら引手本体を操作することができること。第４の目的は、引手を手前側に容易に引き出すことができること。その他構造を極力シンプル化し、引戸に簡単に取付けることができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、少なくとも前記収納部に収納されている時には、該引手本体に設けられ、かつ、取付け座側の固定障害子に係止される作動杆を有する引手本体用ロック機構でロックされ、一方、引手本体を取付け座から引き出す時、ロック機構の前記作動杆を拘束する操作レバーを操作すると、作動杆が移動可能となり、引手本体の自由端部を引くと、引手本体は基端部を軸支する収納部側の固定軸を支点に所定量回転することを特徴とする。
【０００５】
上記構成に於いて、ロック機構は、操作レバーを、常時作動杆を拘束する方向へ付勢する付勢バネを有し、該付勢バネは引手本体に内装されていることを特徴とする。その他の特徴事項は、各従属項に記載されている。ここで「開閉体」とは、網戸、シャッターなどをいう。
【発明の効果】
【０００６】
（１）請求項１に記載の発明は、例えば室内側から内側の引戸を開ける人を基準としてその手前側に網戸、シャッターなどの開閉体が配置される引戸用引手に於いて、開閉体を全閉する際に引手本体が邪魔にならない反面、開閉体を開いて引戸を開ける際には、引手本体を手前側に引き出し、かつ、そのまま引手本体を用いて引戸を開けることができる。この場合、引手本体はロック機構のロック状態を解除して取付け座の収納部から引き出される。引手本体を片手で引き出した時には、引手本体は基端部の固定軸を支点にして所定量回転する。
【０００７】
（２）請求項２に記載の発明は、ロック機構は、操作レバーを、常時作動杆を拘束する方向へ付勢する付勢バネを有していることから、引手本体を取付け座の収納部に収納した時に、引手本体はロック機構によりロックされ、その結果、引手本体が引戸の振動等により収納部から食み出ることはない。一方、引手本体を手前側に引き出した場合に於いても、操作レバーから指を放すと、ロック機構のロックが作用し、引手本体の出た状態を保持することもできる。
【０００８】
（３）請求項３に記載の発明は、簡単な機構と合理的手段により、作動杆と障害子との係合関係を図ることができる。
【０００９】
（４）請求項４に記載の発明は、引手本体の自由端部を握りながら、ロック機構の操作レバーも操作することができるので、操作性が良い。
【発明を実施するための最良の形態】
【００１０】
以下、図１乃至図９に示す本発明を実施するための最良の形態により説明する。
【００１１】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図７参照）。なお、取付け座１は縦框以外の戸先側（閉じ側）の内部に固定しても良い。
【００１２】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１の細幅自由端部（操作部分）１１ｂに指を引っ掛けて（本実施例）、或いは括れ状の部分を摘んで引手本体用収納部５から所定量引き出すことができるように適宜に形成されている。
【００１３】
本実施例では、開口６は、図１で示すように、長板状部分２の上端部から下端部に至るまで形成され、一方、内側引手１１の長さは、引手本体１１の固定軸９に軸支された基端部（図面では上端部）から引手本体用収納部５の凹所内壁の下方傾斜面７付近まで延伸している。
【００１４】
ところで、取付け座１の引手本体用収納部５の上端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の基端部を軸支する固定軸（横軸）９が横設軸架されていると共に、該固定軸（横軸）９の下方に多少離間して後述のロック機構の一部を構成するピン状固定障害子（横棒）１０が横設されている。
【００１５】
取付け座１は、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１６】
（２）内側引手・・・可動部材
１１は片手で握ることができる大きさの内側の引手本体で、この引手本体１１は長板状に形成され、取付け座１の引手本体用収納部５に収納することができるように、その長さ、大きさ、形状、肉厚等が適宜に設定されている。もちろん、引手本体１１は外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１７】
しかして、本実施例の引手本体１１は、少なくとも前記収納部５に収納されている時には、固定障害子１０、該固定障害子に一端部が係止される作動杆２２、該作動杆の他端部を拘束する操作レバー２７を含む引手本体用ロック機構２１でロックされ、操作レバー２７の突出他端部をロック解除の方向へ操作しながら引手本体１１の自由端部１１ｂを手前側に引くと、引手本体１１は、基端部を軸支する収納部５側の固定軸９を支点に所定量回転する。
【００１８】
ここで、図１又は図３を基準にして引手本体１１の外部的構成を説明する。引手本体１１は、基端部から中心部まで幅広に形成されたロック機構２１の構成部材用組込み部分１１ａと、中心部から下端部まで延伸する細幅の自由端部（操作部分）１１ｂとから成り、前記ロック機構２１の操作レバー２７の突出他端部（指当て部分）２７ｂは、幅広中心部の下方外壁開口１８から突出している。したがって、操作レバー２７の突出他端部２７ｂは、引手本体１１の細幅の操作部分１１ｂ側に突出している。
【００１９】
また、図５参照にして引手本体１１の内部的構成を説明する。まず、基端部の一番上位には、固定軸９用の軸孔１２が横方向に形成され、この軸孔１２の直ぐ下方に固定障害子用の係合長孔１３が同様に横方向に形成されている。また、該係合長孔１３に対して鉛直方向に連通する作動杆用の垂直案内長孔１４が形成されている。この垂直案内長孔１４は、後述する作動杆用バネ２６を組み込むための大径部分１５を有している。さらに、本実施例では、垂直案内長孔１４の下部側と連通する操作レバー２７用の収納室１６が幅広中心部の下方の開口１８と連通するように形成されている。該収納室１４は幅広に形成され、その左右の内壁面には操作レバー２７用の左右の突起軸２８が係合する一対の軸受け部分１７，１７が形成されている。
【００２０】
引手本体１１の縦断面図の輪郭形状は、図５で示すように、「一般的なカミソリ形状」の外観を呈し、幅広の部分は刃の存在を、一方、細幅の部分は握りの存在をそれぞれ印象付けているが、引手本体１１の外観形状はこれに限定するものではない。
【００２１】
（３）ロック機構２１
ロック機構２１は、主たる構成部材が引手本体１１の幅広の組込み部分１１ａに組み込まれ、指状操作レバー２７の指当て部分２７ｂのみが組込み部分１１ａの下方外壁の開口１８から突出している。
【００２２】
図４を参照にしてロック機構２１の構成部材を説明する。前述したように、まず、引手本体１１の係合長孔１３を横方向に貫通する固定障害子１０もロック機構２１の一部を構成する。固定障害子１０は、引手本体１１の軸受け部分８に横設されているから、固定部材である。これに対して引手本体１１は、本実施例では固定障害子１０よりも上方に位置する固定軸９を支点に下方から回転するので、可動部材である。前述したように取付け座１側の固定障害子１０は、引手本体１１の基端部を貫通するから、引手本体１１を回転することができるように該引手本体１１には係合長孔１３が形成されている。
【００２３】
次に、２２は長杆状の作動杆で、該作動杆２２は引手本体の垂直案内長孔１４に組み込まれる。作動杆２２は、図５で示すように中央部にフランジ状のバネ端受部２３を有し、その円錐状上端部（一端部）２４は固定障害子１０に交差状に係合する。一方、作動杆２２のアール部分を有する下端部（他端部）２５には、操作レバー２７の指先状一端部（係止部）２７ａが係脱する。
【００２４】
しかして、本実施例では、前記垂直案内長孔１４の大径部分１５に細長棒状の作動杆２２を固定障害子１０に係合する方向へ常時付勢する作動杆用バネ２６が組み込まれている。作動杆用バネ２６の上端は前記バネ端受部２３に圧接している。したがって、図４を基準にすると、作動杆２２は常に上方方向に付勢されている。
【００２５】
次に、操作レバー２７は、中心部の突起軸２８を介して引手本体１１の収納室１６に組み込まれている。突起軸２８は引手本体の軸受け部分１７，１７に係合する。前述したように、操作レバー２７の指先状一端部２７ａは作動杆２２の下端部２５に係脱可能であり、一方、他端部２７ｂは、幅広部分１１ａの下方外壁の開口１８から突出する。したがって、操作レバー２７の突出他端部２７ｂを操作すると、操作レバー２７は突起軸２８を支点にして所要量回転する。
【００２６】
本実施例のロック機構２１は、発明の本質的目的との関係では、必須要件ではないものの、操作レバー２７を、常時作動杆２２を拘束する方向へ付勢する付勢バネ３１を有し、該付勢バネ３１は操作レバーの支軸（突起軸）２８に中心部３１ａが巻装された状態で引手本体１１に内装されている。
【００２７】
（４）ロック機構の作用
図６はロック機構２１の作用を示す。前述したように、本実施例の引手本体１１は、少なくとも収納部５に収納されている時には、収納部側の固定障害子１０、該固定障害子に円錐状の上端部が係止される作動杆２２、該作動杆の下端部を拘束する操作レバー２７及び操作レバー２７を固定障害子１０に係合する方向へ常時付勢する作動杆用バネ２６で構成されたロック機構２１でロックされている。
【００２８】
今仮に、引手本体１１を取付け座１の収納部５から引き出す場合には、ロック機構２１のロック状態を解除する必要がある。そこで、図６で示すように、引手本体１１の細幅の自由端部（操作部分）１１ｂの内側に片手を当てながら、かつ、操作レバー２７の突出他端部２７ｂに指を１本程度あてがって操作する人の手前側に軽く引くようにする。
【００２９】
そうすると、操作レバー２７は、付勢バネ３１のバネ力に抗してロック解除の方向へ回転し、これにより作動杆２２は操作レバー２７の拘束から解放される。
【００３０】
一方、引手本体１１の自由端部（操作部分）１１ｂを掬うように引くと、引手本体１１は上方の基端部を軸支する固定軸９を支点に所定量回転する。この時、ロック機構２１の作動杆２２の円錐状上端部２４は、固定障害子１０に摺接し、かつ、該固定障害子１０に押し下げられるので、作動杆２２はバネ２６のバネ力に抗して多少下降する。
【００３１】
ところで、引手本体１１を引き出した状態で操作レバー２７の突出他端部２７から指を放すと、操作レバー２７は、収納時の初期の状態と同様に付勢バネ３１のバネ力によって作動杆２２を拘束する方向へと回転する。したがって、本実施例では、引手本体を手前側に引き出した場合に於いても、操作レバーから指を放すと、ロック機構のロックが作用し、引手本体の出た状態を保持することができる。
【００３２】
（５）環境状態の使用例
図２に於いて、仮想線は、引手本体１１が取付け座１の収納部５に完全に収納されている状態を示し、一方、実線は引手本体１１を片手で引き出した状態を示す。
【００３３】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図７乃至図９も参照にして環境状態の使用例を説明する。
【００３４】
図７は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００３５】
上記の使用態様に於いて、操作レバー２７の突出他端部２７ｂから指を放すと、付勢バネ３１のバネ力により操作レバー２７は作動杆２２を拘束する方向へ回転し、その上端部２７ａが作動杆２２の下端部２５に係合する。このために、作動杆２２は自由に下がることができないから、引手本体１１を手前側に掬い上げようとしても、作動杆２２の円錐状先端部２４は障害子１０の下方を越えることができず、引手本体１１は回転しない。したがって、引手本体１１を取付け座１の収納部５に収納した時に於いて、操作レバー２７から指を放すと、引手本体１１はロック機構２１によりロックされ、その結果、引手本体１１は引戸ａの振動等により収納部５から食み出ない。この状態に於いて、引手本体１１は引手本体用収納部５の凹所内に略面一状に収納されている。したがって、内側の引手本体１１が邪魔にならないので、開閉体４４を矢印Ａ方向へ完全に閉じることができる。
【００３６】
一方、図１２は、開閉体４４を矢印Ｂ方向に移動させ、その後に引手本体１１を指で手前側に引き出したきの状態を示す。この場合、室内側に操作する人がいて、室内側から開閉体４４を矢印Ｂ方向に開いたことを前提としている。したがって、開閉体４４は引戸ａの手前側に位置している。
【００３７】
引手本体１１が必要な時は、指で引手本体１１の自由端部１１ｂを掬うように引き出して利用する。この場合、そのまま自由端部１１ｂを引いても、ロック機構２１のロック機能が働いているので、まず、操作レバー２７の突出他端部２７ｂを手前側に引き、その状態を維持しながら引手本体１１の自由端部１１ｂを引く。なお、ロック機構２１のロック状態は、前述したように、引手本体を手前側に引き出した場合に於いて、操作レバー２７の突出他端部２７ｂから指を放した場合にも同様の効果を得ることができる。図１３は引き出した引手本体１１をそのまま利用して引戸ａを所望量開いた場合の概略説明図である。
【実施例】
【００３８】
発明の実施の形態で示した実施例に於いて、引手本体１１の自由端部を下方から掬い上げる場合について説明したが、もちろん、固定軸９が下方に位置する反面、自由端部１１ｂが上方に位置する場合（図面が逆様になった場合）には、自由端部１１ｂを上方から手前に引き込むことになる。したがって、自由端部１１ｂが下方か、それとも上方かは、発明の特定要件ではない。また、引手本体の「カミソリ形状」は、発明の特定要件ではない。引手本体１１はその自由端部１１ｂに片手を掛けて取付け座１の収納部５から引き出すことができれば良い。また、操作レバー２７用の付勢バネ３１は発明の特定要件ではない。
【００３９】
要は、本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体１１は取付け座１に収納された時に移動しないようにロック機構によってロックされ、一方、引手本体１１を取付け座１から引き出す時に於いて、ロック機構２１の作動杆２２を拘束する操作レバー２７を操作すると、作動杆２２が移動可能となり、引手本体１１は、基端部を軸支する収納部側の固定軸６を支点に所定量回転することである。
【産業上の利用可能性】
【００４０】
本発明は、主に建具の業界で利用される。
【図面の簡単な説明】
【００４１】
図１乃至図９は本発明の最良の実施例を示す各説明図。
【図１】正面視からの説明図。
【図２】引手本体の収納状態と引き出し状態の概略説明図。
【図３】図１を基準とした主要部の概略断面図。
【図４】図２を基準とした主要部の概略断面図。
【図５】要部（引手本体の縦断面、ロック機構の構成部材等）の説明図。
【図６】作用の概略説明図。
【図７】引き違い戸の使用例に於いて、開閉体を全閉した場合の概略説明図。
【図８】図７の状態に於いて、開閉体を開き、引手本体を手前側に引き出した場合の概略説明図。
【図９】図８の状態に於いて、引手本体を利用して引戸を開いた場合の概略説明図。
【符号の説明】
【００４２】
Ｘ…引戸用引手、ａ…引戸（例えば内側引戸）、1…取付け座、２…長板状部分、４…小貫通孔、５…引手本体用収納部、６…開口、７…下方傾斜面、８…軸受け部分、９…固定軸、１０…固定障害子、１１…引手本体、１１ａ…組込み部分、１１ｂ…自由端部、１２…軸孔、１３…係合長孔、１４…垂直案内長孔、１５…大径部分、１６…収納室、１７…軸受け部分、１８…下方の開口、２１…ロック機構、２２…作動杆、２６…作動杆用バネ、２７…操作レバー、３１…付勢バネ、４２…引き違い戸、４３…室内、４４…開閉体。
【図１】
2006070571.tif 000003
【図２】
2006070571.tif 000004
【図３】
2006070571.tif 000005
【図４】
2006070571.tif 000006
【図５】
2006070571.tif 000007
【図６】
2006070571.tif 000008
【図７】
2006070571.tif 000009
【図８】
2006070571.tif 000010
【図９】
2006070571.tif 000011
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、少なくとも前記収納部に収納されている時には、該引手本体に設けられ、かつ、取付け座側の固定障害子に係止される作動杆を有する引手本体用ロック機構でロックされ、一方、引手本体を取付け座から引き出す時、ロック機構の前記作動杆を拘束する操作レバーを操作すると、作動杆が移動可能となり、引手本体の自由端部を引くと、引手本体は基端部を軸支する収納部側の固定軸を支点に所定量回転することを特徴とする引戸用引手。
【請求項２】
請求項１に於いて、ロック機構は、操作レバーを、常時作動杆を拘束する方向へ付勢する付勢バネを有し、該付勢バネは引手本体に内装されていることを特徴とする引戸用引手。
【請求項３】
請求項１に於いて、引手本体は、障害子用の係合長孔と、該係合長孔に対して鉛直方向に連通する作動杆用の垂直案内長孔とを有し、前記垂直案内長孔内に作動杆を障害子に係合する方向へ常時付勢する作動杆用バネが組み込まれていることを特徴とする引戸用引手。
【請求項４】
請求項１に於いて、引手本体は、基端部から中心部まで幅広に形成されたロック機構の構成部材用組込み部分と、中心部から端部まで延伸する細幅の自由端部とから成り、前記ロック機構の操作レバーの他端部は、組込み部分の開口から自由端部側に突出していることを特徴とする引戸用引手。
【請求項５】
引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする引戸。
【手続補正２】
【補正対象書類名】明細書
【補正対象項目名】全文
【補正方法】変更
【補正の内容】
【発明の詳細な説明】
【技術分野】
【０００１】
本発明は、建物の出入り口に配置された引戸用の引手及び引戸に関し、例えば室内側から内側引戸を開ける人を基準としてその手前側に開閉体が配置される引戸（内側引戸又は外側引戸、或いは内外の引戸）の戸先側の壁面に取付けられる引戸用引手及び引戸に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いてそのまま引戸を開けることができること。第２の目的は、引手本体を取付け座の収納部に収納した時に、引手本体が引戸の振動等により収納部から食み出ないこと。第３の目的は、片手でロック機構の操作レバーを操作しながら引手本体を操作することができること。第４の目的は、引手を手前側に容易に引き出すことができること。その他構造を極力シンプル化し、引戸に簡単に取付けることができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、少なくとも前記収納部に収納されている時には、該引手本体に設けられ、かつ、取付け座側の固定障害子に係止される作動杆を有する引手本体用ロック機構でロックされ、一方、引手本体を取付け座から引き出す時、ロック機構の前記作動杆を拘束する操作レバーを操作すると、作動杆が移動可能となり、引手本体の自由端部を引くと、引手本体は基端部を軸支する収納部側の固定軸を支点に所定量回転することを特徴とする。
【０００５】
上記構成に於いて、ロック機構は、操作レバーを、常時作動杆を拘束する方向へ付勢する付勢バネを有し、該付勢バネは引手本体に内装されていることを特徴とする。
【０００６】
また、本発明の引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする。ここで「開閉体」とは、網戸、シャッターなどをいう。
【発明の効果】
【０００７】
（１）請求項１、請求項５に記載の発明は、例えば室内側から内側の引戸を開ける人を基準としてその手前側に網戸、シャッターなどの開閉体が配置される引戸用引手及び引戸に於いて、開閉体を全閉する際に引手本体が邪魔にならない反面、開閉体を開いて引戸を開ける際には、引手本体を手前側に引き出し、かつ、そのまま引手本体を用いて引戸を開けることができる。この場合、引手本体はロック機構のロック状態を解除して取付け座の収納部から引き出される。引手本体を片手で引き出した時には、引手本体は基端部の固定軸を支点にして所定量回転する。
（２）請求項２に記載の発明は、ロック機構は、操作レバーを、常時作動杆を拘束する方向へ付勢する付勢バネを有していることから、引手本体を取付け座の収納部に収納した時に、引手本体はロック機構によりロックされ、その結果、引手本体が引戸の振動等により収納部から食み出ることはない。一方、引手本体を手前側に引き出した場合に於いても、操作レバーから指を放すと、ロック機構のロックが作用し、引手本体の出た状態を保持することもできる。
（３）請求項３に記載の発明は、簡単な機構と合理的手段により、作動杆と障害子との係合関係を図ることができる。
（４）請求項４に記載の発明は、引手本体の自由端部を握りながら、ロック機構の操作レバーも操作することができるので、操作性が良い。
【発明を実施するための最良の形態】
【０００８】
以下、図１乃至図９に示す本発明を実施するための最良の形態により説明する。
【０００９】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図７参照）。なお、取付け座１は縦框以外の戸先側（閉じ側）の内部に固定しても良い。
【００１０】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１の細幅自由端部（操作部分）１１ｂに指を引っ掛けて（本実施例）、或いは括れ状の部分を摘んで引手本体用収納部５から所定量引き出すことができるように適宜に形成されている。
【００１１】
本実施例では、開口６は、図１で示すように、長板状部分２の上端部から下端部に至るまで形成され、一方、内側引手１１の長さは、引手本体１１の固定軸９に軸支された基端部（図面では上端部）から引手本体用収納部５の凹所内壁の下方傾斜面７付近まで延伸している。
【００１２】
ところで、取付け座１の引手本体用収納部５の上端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の基端部を軸支する固定軸（横軸）９が横設軸架されていると共に、該固定軸（横軸）９の下方に多少離間して後述のロック機構の一部を構成するピン状固定障害子（横棒）１０が横設されている。
【００１３】
取付け座１は、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１４】
（２）内側引手・・・可動部材
１１は片手で握ることができる大きさの内側の引手本体で、この引手本体１１は長板状に形成され、取付け座１の引手本体用収納部５に収納することができるように、その長さ、大きさ、形状、肉厚等が適宜に設定されている。もちろん、引手本体１１は外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１５】
しかして、本実施例の引手本体１１は、少なくとも前記収納部５に収納されている時には、固定障害子１０、該固定障害子に一端部が係止される作動杆２２、該作動杆の他端部を拘束する操作レバー２７を含む引手本体用ロック機構２１でロックされ、操作レバー２７の突出他端部をロック解除の方向へ操作しながら引手本体１１の自由端部１１ｂを手前側に引くと、引手本体１１は、基端部を軸支する収納部５側の固定軸９を支点に所定量回転する。
【００１６】
ここで、図１又は図３を基準にして引手本体１１の外部的構成を説明する。引手本体１１は、基端部から中心部まで幅広に形成されたロック機構２１の構成部材用組込み部分１１ａと、中心部から下端部まで延伸する細幅の自由端部（操作部分）１１ｂとから成り、前記ロック機構２１の操作レバー２７の突出他端部（指当て部分）２７ｂは、幅広中心部の下方外壁開口１８から突出している。したがって、操作レバー２７の突出他端部２７ｂは、引手本体１１の細幅の操作部分１１ｂ側に突出している。
【００１７】
また、図５参照にして引手本体１１の内部的構成を説明する。まず、基端部の一番上位には、固定軸９用の軸孔１２が横方向に形成され、この軸孔１２の直ぐ下方に固定障害子用の係合長孔１３が同様に横方向に形成されている。また、該係合長孔１３に対して鉛直方向に連通する作動杆用の垂直案内長孔１４が形成されている。この垂直案内長孔１４は、後述する作動杆用バネ２６を組み込むための大径部分１５を有している。さらに、本実施例では、垂直案内長孔１４の下部側と連通する操作レバー２７用の収納室１６が幅広中心部の下方の開口１８と連通するように形成されている。該収納室１４は幅広に形成され、その左右の内壁面には操作レバー２７用の左右の突起軸２８が係合する一対の軸受け部分１７，１７が形成されている。
【００１８】
引手本体１１の縦断面図の輪郭形状は、図５で示すように、「一般的なカミソリ形状」の外観を呈し、幅広の部分は刃の存在を、一方、細幅の部分は握りの存在をそれぞれ印象付けているが、引手本体１１の外観形状はこれに限定するものではない。
【００１９】
（３）ロック機構２１
ロック機構２１は、主たる構成部材が引手本体１１の幅広の組込み部分１１ａに組み込まれ、指状操作レバー２７の指当て部分２７ｂのみが組込み部分１１ａの下方外壁の開口１８から突出している。
【００２０】
図４を参照にしてロック機構２１の構成部材を説明する。前述したように、まず、引手本体１１の係合長孔１３を横方向に貫通する固定障害子１０もロック機構２１の一部を構成する。固定障害子１０は、引手本体１１の軸受け部分８に横設されているから、固定部材である。これに対して引手本体１１は、本実施例では固定障害子１０よりも上方に位置する固定軸９を支点に下方から回転するので、可動部材である。前述したように取付け座１側の固定障害子１０は、引手本体１１の基端部を貫通するから、引手本体１１を回転することができるように該引手本体１１には係合長孔１３が形成されている。
【００２１】
次に、２２は長杆状の作動杆で、該作動杆２２は引手本体の垂直案内長孔１４に組み込まれる。作動杆２２は、図５で示すように中央部にフランジ状のバネ端受部２３を有し、その円錐状上端部（一端部）２４は固定障害子１０に交差状に係合する。一方、作動杆２２のアール部分を有する下端部（他端部）２５には、操作レバー２７の指先状一端部（係止部）２７ａが係脱する。
【００２２】
しかして、本実施例では、前記垂直案内長孔１４の大径部分１５に細長棒状の作動杆２２を固定障害子１０に係合する方向へ常時付勢する作動杆用バネ２６が組み込まれている。作動杆用バネ２６の上端は前記バネ端受部２３に圧接している。したがって、図４を基準にすると、作動杆２２は常に上方方向に付勢されている。
【００２３】
次に、操作レバー２７は、中心部の突起軸２８を介して引手本体１１の収納室１６に組み込まれている。突起軸２８は引手本体の軸受け部分１７，１７に係合する。前述したように、操作レバー２７の指先状一端部２７ａは作動杆２２の下端部２５に係脱可能であり、一方、他端部２７ｂは、幅広部分１１ａの下方外壁の開口１８から突出する。したがって、操作レバー２７の突出他端部２７ｂを操作すると、操作レバー２７は突起軸２８を支点にして所要量回転する。
【００２４】
本実施例のロック機構２１は、発明の本質的目的との関係では、必須要件ではないものの、操作レバー２７を、常時作動杆２２を拘束する方向へ付勢する付勢バネ３１を有し、該付勢バネ３１は操作レバーの支軸（突起軸）２８に中心部３１ａが巻装された状態で引手本体１１に内装されている。
【００２５】
（４）ロック機構の作用
図６はロック機構２１の作用を示す。前述したように、本実施例の引手本体１１は、少なくとも収納部５に収納されている時には、収納部側の固定障害子１０、該固定障害子に円錐状の上端部が係止される作動杆２２、該作動杆の下端部を拘束する操作レバー２７及び操作レバー２７を固定障害子１０に係合する方向へ常時付勢する作動杆用バネ２６で構成されたロック機構２１でロックされている。
【００２６】
今仮に、引手本体１１を取付け座１の収納部５から引き出す場合には、ロック機構２１のロック状態を解除する必要がある。そこで、図６で示すように、引手本体１１の細幅の自由端部（操作部分）１１ｂの内側に片手を当てながら、かつ、操作レバー２７の突出他端部２７ｂに指を１本程度あてがって操作する人の手前側に軽く引くようにする。
【００２７】
そうすると、操作レバー２７は、付勢バネ３１のバネ力に抗してロック解除の方向へ回転し、これにより作動杆２２は操作レバー２７の拘束から解放される。
【００２８】
一方、引手本体１１の自由端部（操作部分）１１ｂを掬うように引くと、引手本体１１は上方の基端部を軸支する固定軸９を支点に所定量回転する。この時、ロック機構２１の作動杆２２の円錐状上端部２４は、固定障害子１０に摺接し、かつ、該固定障害子１０に押し下げられるので、作動杆２２はバネ２６のバネ力に抗して多少下降する。
【００２９】
ところで、引手本体１１を引き出した状態で操作レバー２７の突出他端部２７から指を放すと、操作レバー２７は、収納時の初期の状態と同様に付勢バネ３１のバネ力によって作動杆２２を拘束する方向へと回転する。したがって、本実施例では、引手本体を手前側に引き出した場合に於いても、操作レバーから指を放すと、ロック機構のロックが作用し、引手本体の出た状態を保持することができる。
【００３０】
（５）環境状態の使用例
図２に於いて、仮想線は、引手本体１１が取付け座１の収納部５に完全に収納されている状態を示し、一方、実線は引手本体１１を片手で引き出した状態を示す。
【００３１】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図７乃至図９も参照にして環境状態の使用例を説明する。  
【００３２】
図７は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００３３】
上記の使用態様に於いて、操作レバー２７の突出他端部２７ｂから指を放すと、付勢バネ３１のバネ力により操作レバー２７は作動杆２２を拘束する方向へ回転し、その上端部２７ａが作動杆２２の下端部２５に係合する。このために、作動杆２２は自由に下がることができないから、引手本体１１を手前側に掬い上げようとしても、作動杆２２の円錐状先端部２４は障害子１０の下方を越えることができず、引手本体１１は回転しない。したがって、引手本体１１を取付け座１の収納部５に収納した時に於いて、操作レバー２７から指を放すと、引手本体１１はロック機構２１によりロックされ、その結果、引手本体１１は引戸ａの振動等により収納部５から食み出ない。この状態に於いて、引手本体１１は引手本体用収納部５の凹所内に略面一状に収納されている。したがって、内側の引手本体１１が邪魔にならないので、開閉体４４を矢印Ａ方向へ完全に閉じることができる。
【００３４】
一方、図１２は、開閉体４４を矢印Ｂ方向に移動させ、その後に引手本体１１を指で手前側に引き出したきの状態を示す。この場合、室内側に操作する人がいて、室内側から開閉体４４を矢印Ｂ方向に開いたことを前提としている。したがって、開閉体４４は引戸ａの手前側に位置している。
【００３５】
引手本体１１が必要な時は、指で引手本体１１の自由端部１１ｂを掬うように引き出して利用する。この場合、そのまま自由端部１１ｂを引いても、ロック機構２１のロック機能が働いているので、まず、操作レバー２７の突出他端部２７ｂを手前側に引き、その状態を維持しながら引手本体１１の自由端部１１ｂを引く。なお、ロック機構２１のロック状態は、前述したように、引手本体を手前側に引き出した場合に於いて、操作レバー２７の突出他端部２７ｂから指を放した場合にも同様の効果を得ることができる。図１３は引き出した引手本体１１をそのまま利用して引戸ａを所望量開いた場合の概略説明図である。
【実施例】
【００３６】
発明の実施の形態で示した実施例に於いて、引手本体１１の自由端部を下方から掬い上げる場合について説明したが、もちろん、固定軸９が下方に位置する反面、自由端部１１ｂが上方に位置する場合（図面が逆様になった場合）には、自由端部１１ｂを上方から手前に引き込むことになる。したがって、自由端部１１ｂが下方か、それとも上方かは、発明の特定要件ではない。また、引手本体の「カミソリ形状」は、発明の特定要件ではない。引手本体１１はその自由端部１１ｂに片手を掛けて取付け座１の収納部５から引き出すことができれば良い。また、操作レバー２７用の付勢バネ３１は発明の特定要件ではない。
【００３７】
要は、本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体１１は取付け座１に収納された時に移動しないようにロック機構によってロックされ、一方、引手本体１１を取付け座１から引き出す時に於いて、ロック機構２１の作動杆２２を拘束する操作レバー２７を操作すると、作動杆２２が移動可能となり、引手本体１１は、基端部を軸支する収納部側の固定軸６を支点に所定量回転することである。
【産業上の利用可能性】
【００３８】
本発明は、主に建具の業界で利用される。
【図面の簡単な説明】
【００３９】
図１乃至図９は本発明の最良の実施例を示す各説明図。
【図１】正面視からの説明図。
【図２】引手本体の収納状態と引き出し状態の概略説明図。
【図３】図１を基準とした主要部の概略断面図。
【図４】図２を基準とした主要部の概略断面図。
【図５】要部（引手本体の縦断面、ロック機構の構成部材等）の説明図。
【図６】作用の概略説明図。
【図７】引き違い戸の使用例に於いて、開閉体を全閉した場合の概略説明図。
【図８】図７の状態に於いて、開閉体を開き、引手本体を手前側に引き出した場合の概略説明図。
【図９】図８の状態に於いて、引手本体を利用して引戸を開いた場合の概略説明図。
【符号の説明】
【００４０】
Ｘ…引戸用引手、ａ…引戸（例えば内側引戸）、1…取付け座、２…長板状部分、４…小貫通孔、５…引手本体用収納部、６…開口、７…下方傾斜面、８…軸受け部分、９…固定軸、１０…固定障害子、１１…引手本体、１１ａ…組込み部分、１１ｂ…自由端部、１２…軸孔、１３…係合長孔、１４…垂直案内長孔、１５…大径部分、１６…収納室、１７…軸受け部分、１８…下方の開口、２１…ロック機構、２２…作動杆、２６…作動杆用バネ、２７…操作レバー、３１…付勢バネ、４２…引き違い戸、４３…室内、４４…開閉体。